(57)【要約】【課題】官公庁廃棄品の位置をほぼリアルタイムで管理することができる官公庁廃棄品の搬送方法を提供すること。【解決手段】官公庁廃棄品を車両によりルートスケジュールに基づいて廃棄場所まで搬送する官公庁廃棄品の搬送方法において、ＧＰＳ端末を車両に搭載し、該ＧＰＳ端末により、出発地点、任意の通過地点及び到着地点でそれぞれ位置情報を管理者側に送信する。【選択図】図１
2005335904.tif 000002
【特許請求の範囲】
【請求項１】
官公庁廃棄品を車両によりルートスケジュールに基づいて廃棄場所まで搬送する官公庁廃棄品の搬送方法において、ＧＰＳ端末を車両に搭載し、該ＧＰＳ端末により、出発地点、任意の通過地点及び到着地点でそれぞれ位置情報を管理者側に送信することを特徴とする官公庁廃棄品の搬送方法。
【請求項２】
請求項１に記載の官公庁廃棄品の搬送方法に使用する搬送容器であって、容器本体と蓋体を封緘する締輪を備えるとともに、該締輪の締付レバーを締付位置で固定する閂と、該閂を施錠する鍵式の南京錠とを備えたことを特徴とする官公庁廃棄品の搬送方法に使用する搬送容器。
【請求項３】
請求項２に記載の搬送容器の使用方法であって、鍵を容器に入れた状態で締輪を締め、閂を南京錠で施錠することを特徴とする搬送容器の使用方法。
【発明の詳細な説明】
【技術分野】
【０００１】
本発明は、官公庁廃棄品の搬送方法及び該搬送方法に使用する搬送容器に関し、特に、官公庁廃棄品の位置をほぼリアルタイムで管理することができる官公庁廃棄品の搬送方法並びに搬送方法に使用する搬送容器及び搬送容器の使用方法に関するものである。
【背景技術】
【０００２】
例えば、警察から廃棄される廃棄品には、警察手帳や制服、帽子（ヘルメット）の紋章、手錠、警棒、情報管理機密備品（情報記録媒体等）、あるいは押収品など、外部に漏れると悪用されるおそれがあるものが含まれている。
そこで、これらの廃棄品は、積み込みから搬送、荷降ろし、焼却や溶融等の処理に至るまで、職員の立ち会いのもと、管理が徹底して行われている。
【０００３】
しかしながら、上記従来の官公庁廃棄品の搬送方法では、廃棄品を搬送するトラックの運行状況を把握することができず、事故があった場合に、その対応が遅れたりする問題がある。
【発明の開示】
【発明が解決しようとする課題】
【０００４】
本発明は、上記従来の官公庁廃棄品の搬送方法が有する問題点に鑑み、官公庁廃棄品の位置をほぼリアルタイムで管理することができる官公庁廃棄品の搬送方法並びに搬送方法に使用する搬送容器及び搬送容器の使用方法を提供することを目的とする。
【課題を解決するための手段】
【０００５】
上記目的を達成するため、本発明の官公庁廃棄品の搬送方法は、官公庁廃棄品を車両によりルートスケジュールに基づいて廃棄場所まで搬送する官公庁廃棄品の搬送方法において、ＧＰＳ端末を車両に搭載し、該ＧＰＳ端末により、出発地点、任意の通過地点及び到着地点でそれぞれ位置情報を管理者側に送信することを特徴とする。
【０００６】
また、本発明の搬送容器は、上記官公庁廃棄品の搬送方法に使用する搬送容器であって、容器本体と蓋体を封緘する締輪を備えるとともに、該締輪の締付レバーを締付位置で固定する閂と、該閂を施錠する鍵式の南京錠とを備えたことを特徴とする。
【０００７】
また、本発明の搬送容器の使用方法は、鍵を容器に入れた状態で締輪を締め、閂を南京錠で施錠することを特徴とする。
【発明の効果】
【０００８】
本発明の官公庁廃棄品の搬送方法によれば、官公庁廃棄品を車両によりルートスケジュールに基づいて廃棄場所まで搬送する官公庁廃棄品の搬送方法において、ＧＰＳ端末を車両に搭載し、該ＧＰＳ端末により、出発地点、任意の通過地点及び到着地点でそれぞれ位置情報を管理者側に送信することから、官公庁廃棄品の位置をほぼリアルタイムで管理することができ、事故があった場合でも、位置情報に基づいてその対応を迅速に行うことができる。
【０００９】
また、本発明の搬送容器及び搬送容器の使用方法は、容器本体と蓋体を封緘する締輪を備えるとともに、該締輪の締付レバーを締付位置で固定する閂と、該閂を施錠する鍵式の南京錠とを備えることから、鍵を容器に入れた状態で締輪を締め、閂を南京錠で施錠することにより、鍵を容器に封緘し容器の開封を防止することができる。
【発明を実施するための最良の形態】
【００１０】
以下、本発明の官公庁廃棄品の搬送方法及び該搬送方法に使用する搬送容器の実施の形態を、図面に基づいて説明する。
【実施例１】
【００１１】
図１に、本発明の官公庁廃棄品の搬送方法の一実施例を示す。
この官公庁廃棄品の搬送方法は、官公庁廃棄品を車両によりルートスケジュールに基づいて廃棄場所まで搬送するものであり、ＧＰＳ（Ｇｌｏｂａｌ  Ｐｏｓｉｔｉｏｎｉｎｇ  Ｓｙｓｔｅｍ：全地球方位システム）端末を車両に搭載し、該ＧＰＳ端末により、出発地点、任意の通過地点及び到着地点でそれぞれ位置情報を管理者側に送信するようにしている。
ＧＰＳ端末には、ＧＰＳ機能付き携帯電話が使用されており、車両側と管理者側とに装備されている。また、少なくとも車両側の携帯電話は、デジタルカメラ機能も備えている。
【００１２】
一方、図２〜図３に示すように、この官公庁廃棄品の搬送方法で使用する搬送容器は、本実施例では天蓋式のドラム缶を利用するもので、容器本体１と蓋体２を封緘する締輪３を備えるとともに、該締輪３の締付レバー４を締付位置で固定する閂５と、該閂５を施錠する鍵式の南京錠６とを備えている。
締輪３は、内側に凹溝を備える断面コ字状の既成の金属ベルトであり、図３に示すように、容器本体１の上縁の大径の口部１ａと該口部１ａに重合した蓋体２の縁部２ａとに外嵌し、締付レバー４を締めて縮径することにより蓋体２を固定することができる。
閂５はＴ字状をなし、締付レバー４の閂穴４１と締輪側に設けられた閂穴３１とを貫通するように差し込み、下部の係止穴５１に南京錠６を施錠することにより、締付レバー４をロックして容器を封緘することができる。
【００１３】
以下、本実施例の官公庁廃棄品の搬送方法を警察の廃棄品を例に具体的に説明する。
＜積載地手順＞
１）積載地到着後、トラックと記録用の黒板を同時に撮影する。
黒板には、管理者側の立ち会い担当者名、車両側の担当名等を記載する。トラックのハッチを開け、空の搬送容器を降ろして納品する。
２）トラックのＢＯＸ内が空荷状態であることを撮影する。
３）放射能測定器により搬送容器を測定する。また、この作業状況撮影する。
４）搬送容器の施錠を確認し、ペイントにより番号を打つ。その際、横部分と蓋部分の両方打つ。搬送容器のすべてを撮影する。確認後、容器にシールをはる。
５）積み込み作業開始、作業状況を撮影する。
６）積み込み完了後、ＢＯＸ内を撮影する。
７）トラックのハッチを閉めた状態を撮影する。
８）積み込み作業完了。
９）ハッチの施錠をし、撮影する。
１０）マニフェストとルートスケジュール表を渡す。
この場合、マニフェストとは、積荷目録を意味するもので、産業廃棄物の処理の流れを把握するための産業廃棄物管理票をいい、廃棄物の名称、数量、委託先等を記載する。
【００１４】
＜ＧＰＳ＞
１）車両位置確認用としてＧＰＳ機能付き携帯電話と、全行程ルートスケジュール表（休憩場所等）を管理者側の担当者に渡し、システムの説明をする。その際、免許証、社会保険証、携帯電話明細書の書類も同時提出する。
２）行程によりトラックを撮影する。携帯電話により位置情報と写真と時刻を、管理者側、運送会社及び処理場の担当者に送信する。例えば、出発時場所−ルート経過時場所−到着時場所など。
３）運転手持参の携帯電話のＧＰＳ検索設定の通知をＯＮにして、出発する。
【００１５】
＜休憩時＞
１）運行途中、ルートスケジュール表の提示場所にて休憩し、その時にトラックと場所風景を一緒に撮影し、携帯電話により位置情報と写真を送信する。送信先は上記と同じ。
なお、休憩回数は運行距離により打ち合わせで決定している。
２）出発前にハッチの施錠を確認する。
このように、任意の地点で位置情報等を管理者側に送信することから、廃棄品の位置をほぼリアルタイムで管理することができ、管理者側は、事故があった場合でも、位置情報に基づいてその対応を迅速に行うことができる。
【００１６】
＜荷降ろし地手順＞
１）処理場に到着後、計量及び放射能測定所へ。この状況を撮影する。
２）荷降ろし地到着後、トラック及び風景を撮影し、ＧＰＳ端末による位置情報とともに携帯電話で送信する。
３）処理場の産廃許可看板の前でトラックを撮影する。
４）ハッチを開け、ＢＯＸ内を撮影する。
５）荷降ろし作業を開始し、作業状況を撮影する。
６）搬送容器をパレットの上に並べて、上と横から撮影する。
７）ハッチを閉め、撮影する。
８）荷降ろし作業完了。
９）マニフェスト、計量表を処理場の担当者に渡す。
１０）再生処理のため最終処分を必要としない場合は、収集済み印と処理済み印を押した伝票を、上記位置情報、撮影状況の写しを添えて管理者側に送付する。
＜処理＞
官公庁廃棄品を収容した容器は、例えば、容器ごと電気炉や高炉等の金属溶解炉に装入することにより、溶解処理するようにする。
【００１７】
かくして、本実施例の官公庁廃棄品の搬送方法は、官公庁廃棄品を車両によりルートスケジュールに基づいて廃棄場所まで搬送する官公庁廃棄品の搬送方法において、ＧＰＳ端末を車両に搭載し、該ＧＰＳ端末により、出発地点、任意の通過地点及び到着地点でそれぞれ位置情報を管理者側に送信することから、官公庁廃棄品の位置をほぼリアルタイムで管理することができ、事故があった場合でも、位置情報に基づいてその対応を迅速に行うことができる。
また、本実施例の搬送容器は、容器本体１と蓋体２を封緘する締輪３を備えるとともに、該締輪３の締付レバー４を締付位置で固定する閂５と、該閂５を施錠する鍵式の南京錠６とを備えることから、南京錠６の鍵を容器に入れた状態で締輪３を締め、閂５を南京錠６で施錠することにより、鍵を容器に封緘し容器の開封を防止することができる。
これにより、南京錠６の鍵を管理する手間をなくすことができる。
なお、南京錠６の鍵を、容器に入れずに官公庁側が管理するようにすることもできる。
【００１８】
以上、本発明の官公庁廃棄品の搬送方法及び該搬送方法に使用する搬送容器について、その実施例に基づいて説明したが、本発明は上記実施例に記載した構成に限定されるものではなく、実施例に記載した構成を適宜組み合わせる等、その趣旨を逸脱しない範囲において適宜その構成を変更することができる。
【産業上の利用可能性】
【００１９】
本発明の官公庁廃棄品の搬送方法及び該搬送方法に使用する搬送容器は、廃棄品の位置をほぼリアルタイムで管理することができ、事故があった場合でも、位置情報に基づいてその対応を迅速に行えるという特性を有していることから、危険物や悪用のおそれがある官公庁廃棄品、守秘義務がある官公庁廃棄品の搬送及び搬送容器の用途に好適に用いることができる。
【図面の簡単な説明】
【００２０】
【図１】本発明の官公庁廃棄品の搬送方法を示すチャート図である。
【図２】同搬送方法に使用する搬送容器を示す分解斜視図である。
【図３】同搬送容器を示し、（ａ）は締輪を開いた状態を示す平面図、（ｂ）は締輪を締めた状態を示す平面図、（ｃ）は締輪を施錠した状態を示す斜視図である。
【符号の説明】
【００２１】
１    容器本体
１ａ  口部
２    蓋体
２ａ  縁部
３    締輪
３１  閂穴
４    締付レバー
４１  閂穴
５    閂
５１  係止穴
６    南京錠
【図１】
2005335904.tif 000003
【図２】
2005335904.tif 000004
【図３】
2005335904.tif 000005